(57)【要約】【課題】  簡単な構成で定着前の予備回転時間を的確に決定する画像形成装置。【解決手段】  表面に弾性層を有する加熱ローラ及び該加熱ローラに圧接する加圧ローラによって記録紙上のトナー像を定着する定着装置と、前記定着装置における定着が終了し前記加熱ローラ及び前記加圧ローラの回転が停止してからの停止時間を計時する計時手段と、前記加熱ローラ及び前記加圧ローラが定着開始前に回転する予備回転の時間を、前記計時手段が計時した停止時間に対応して設定し、前記予備回転を行わせるべく制御する制御手段と、を備えたこと。【選択図】        図３
2007024931.tif 000002
【特許請求の範囲】
【請求項１】
表面に弾性層を有する加熱ローラ及び該加熱ローラに圧接する加圧ローラによって記録紙上のトナー像を定着する定着装置と、
前記定着装置における定着が終了し前記加熱ローラ及び前記加圧ローラの回転が停止してからの停止時間を計時する計時手段と、
前記加熱ローラ及び前記加圧ローラが定着開始前に回転する予備回転の時間を、前記計時手段が計時した停止時間に対応して設定し、前記予備回転を行わせるべく制御する制御手段と、
を備えたことを特徴とする画像形成装置。
【請求項２】
前記制御手段は、前記停止時間が短くなるに従って前記予備回転の時間も短くなるテーブルを有することを特徴とする請求項１に記載の画像形成装置。
【請求項３】
表面に弾性層を有する加熱ローラ及び該加熱ローラに圧接する加圧ローラによって記録紙上のトナー像を定着する定着装置と、
画像形成すべき記録紙の紙種を選択して入力操作する紙種入力手段と、
前記加熱ローラ及び前記加圧ローラが定着開始前に回転する予備回転の時間を、前記紙種入力手段により入力操作された記録紙の紙種に対応して設定し、前記予備回転を行わせるべく制御する制御手段と、
を備えたことを特徴とする画像形成装置。
【請求項４】
前記制御手段は、前記紙種入力手段により平滑度の低い記録紙が入力操作されたときは、前記予備回転を行わないように制御することを特徴とする請求項３に記載の画像形成装置。
【請求項５】
表面に弾性層を有する加熱ローラ及び該加熱ローラに圧接する加圧ローラによって記録紙上のトナー像を定着する定着装置と、
原稿の印字率を測定する印字率測定手段と、
前記加熱ローラ及び前記加圧ローラが定着開始前に回転する予備回転の時間を、前記印字測定手段が測定した原稿の印字率に対応して設定し、前記予備回転を行わせるべく制御する制御手段と、
を備えたことを特徴とする画像形成装置。
【請求項６】
前記印字率測定手段が測定した原稿の印字率が所定の印字率より低いときは、前記制御手段は前記予備回転を行わないように制御することを特徴とする請求項５に記載の画像形成装置。
【請求項７】
表面に弾性層を有する加熱ローラ及び該加熱ローラに圧接する加圧ローラによって記録紙上のトナー像を定着する定着装置と、
原稿の種類を選択し入力操作する原稿モード入力手段と、
前記加熱ローラ及び前記加圧ローラが定着開始前に回転する予備回転の時間を、前記原稿モード入力手段により入力操作されたモードに対応して設定し、前記予備回転を行わせるべく制御する制御手段と、
を備えたことを特徴とする画像形成装置。
【請求項８】
前記原稿モード入力手段により入力操作されたモードが印字率の低い原稿であるときは、前記制御手段は前記予備回転を行わないように制御することを特徴とする請求項７に記載の画像形成装置。
【請求項９】
前記予備回転の時間は３０秒以下であることを特徴とする請求項１〜８の何れか１項に記載の画像形成装置。
【発明の詳細な説明】
【技術分野】
【０００１】
本発明は、表面に弾性層を有する加熱ローラと、該加熱ローラに圧接する加圧ローラとによって記録紙上のトナー像を定着する定着装置を備えた画像形成装置に関する。
【背景技術】
【０００２】
複写機、プリンタ、ファクシミリ、及びこれらの諸機能を備えた複合機等の電子写真方式の画像形成装置においては、原稿に対応した潜像を感光体に形成し、この潜像にトナーを付与することによって顕像化し、この顕像化されたトナー像を記録紙（記録材）上に転写し、この後、記録紙上に転写されたトナー像を定着している。
【０００３】
このようなトナー像を定着する定着装置として、ハロゲンヒータ等を内蔵した加熱ローラと、加熱ローラに圧接する加圧ローラとによって、トナー像が転写された記録紙を挟持・搬送しながら、加熱・加圧する熱ローラ定着方式の定着装置があり、このような定着装置は構成が簡便であると共に記録紙上への定着性が良好であるため、広く利用されている。
【０００４】
なお、加熱ローラは芯金の内部にヒータを内蔵し、芯金の表面がシリコーンゴム等の弾性層にて被覆されている。同様に、加圧ローラも芯金の表面がシリコーンゴム等の弾性層にて被覆されている。
【０００５】
ここで、プリント待機中には加圧ローラは加熱ローラに圧接しているが、共に非回転状態である。従って、ニップ部では加熱ローラの熱が加圧ローラに伝導されるが、加圧ローラは熱容量が大きく、弾性層のシリコーンゴムは熱伝導性が悪いので、ニップ部以外の加圧ローラの表面はあまり昇温せず、略常温のまま保たれる。
【０００６】
従って、プリント開始により加熱ローラと共に加圧ローラも回転を開始するが、プリント開始直後には加熱ローラの熱は加圧ローラの温度上昇に費やされて記録紙上のトナー像の溶融には有効に使われず、加圧ローラは停止前にニップ部であった部分を除いては定着温度が低い。従って、加圧ローラの円周上に温度差が生じて定着ムラが発生する。
【０００７】
そこで、定着開始前に加熱ローラと共に加圧ローラを回転させる予備回転を実施する定着装置が知られている。
【０００８】
例えば、トナー像が転写されたシートの温度を検出し、この温度に応じて予備回転時間を可変にした定着装置がある（特許文献１参照）。
【０００９】
また、予備回転時間が蓄熱量予測手段により予測された予測蓄熱量を元に決定される画像形成装置がある（特許文献２参照）。
【特許文献１】特開平５−３３３６２４号公報
【特許文献２】特開２００４−１２６１９１号公報
【発明の開示】
【発明が解決しようとする課題】
【００１０】
前述の如く定着開始前に加熱ローラと共に加圧ローラを回転させる予備回転を実施することは定着ムラ等の定着不良の防止のために効果がある。
【００１１】
しかしながら、特許文献１においては、ウオーミングアップ時の予備回転時間をシートの温度に依存して可変としており、通常のプリント待機中における加圧ローラの温度低下に関しては考慮していない。
【００１２】
また、特許文献２においては、蓄熱量予測手段がプリント準備動作に要した時間を元に推測しており、複雑な制御を行わなければならず、コスト面において問題がある。
【００１３】
本発明はかかる問題に鑑みてなされたものであり、簡単な構成で定着前の予備回転時間を的確に決定し、また、記録紙の紙種や原稿の印字率によっては予備回転を行わないこともあるように制御する画像形成装置を提案することを目的とする。
【課題を解決するための手段】
【００１４】
上記目的は下記の構成の何れかによって達成される。
［１］表面に弾性層を有する加熱ローラ及び該加熱ローラに圧接する加圧ローラによって記録紙上のトナー像を定着する定着装置と、前記定着装置における定着が終了し前記加熱ローラ及び前記加圧ローラの回転が停止してからの停止時間を計時する計時手段と、前記加熱ローラ及び前記加圧ローラが定着開始前に回転する予備回転の時間を、前記計時手段が計時した停止時間に対応して設定し、前記予備回転を行わせるべく制御する制御手段と、を備えたことを特徴とする画像形成装置。
［２］表面に弾性層を有する加熱ローラ及び該加熱ローラに圧接する加圧ローラによって記録紙上のトナー像を定着する定着装置と、画像形成すべき記録紙の紙種を選択して入力操作する紙種入力手段と、前記加熱ローラ及び前記加圧ローラが定着開始前に回転する予備回転の時間を、前記紙種入力手段により入力操作された記録紙の紙種に対応して設定し、前記予備回転を行わせるべく制御する制御手段と、を備えたことを特徴とする画像形成装置。
［３］表面に弾性層を有する加熱ローラ及び該加熱ローラに圧接する加圧ローラによって記録紙上のトナー像を定着する定着装置と、原稿の印字率を測定する印字率測定手段と、前記加熱ローラ及び前記加圧ローラが定着開始前に回転する予備回転の時間を、前記印字測定手段が測定した原稿の印字率に対応して設定し、前記予備回転を行わせるべく制御する制御手段と、を備えたことを特徴とする画像形成装置。
［４］表面に弾性層を有する加熱ローラ及び該加熱ローラに圧接する加圧ローラによって記録紙上のトナー像を定着する定着装置と、原稿の種類を選択し入力操作する原稿モード入力手段と、前記加熱ローラ及び前記加圧ローラが定着開始前に回転する予備回転の時間を、前記原稿モード入力手段により入力操作されたモードに対応して設定し、前記予備回転を行わせるべく制御する制御手段と、を備えたことを特徴とする画像形成装置。
【発明の効果】
【００１５】
本発明の画像形成装置によれば、定着ムラ等の定着不良の発生がなく、ファーストコピータイムが短縮する。
【発明を実施するための最良の形態】
【００１６】
本願発明の画像形成装置に関する実施の形態を説明する。
【００１７】
先ず、本発明に係わる画像形成装置について、図１の基本構成図を参照して説明する。
【００１８】
図１において、１は電子写真感光体である感光体ドラムであって、感光体ドラム１は矢示の方向に所定の周速度で回転駆動され、その表面が帯電器２によってマイナスの所定の電位ＶＨに一様帯電される。
【００１９】
３は露光装置で、不図示の画像読取装置やコンピュータ等から入力される画像情報の時系列デジタル画素信号に対応して変調されたレーザビームを出力する。一様帯電された感光体ドラム１の表面は、このレーザビームによって走査露光される。これにより、感光体ドラム１の露光部分は電位絶対値が低下して電位ＶＬとなり感光体ドラム１の表面に静電潜像が形成される。
【００２０】
現像器４は回転駆動される現像ローラ４ａを備えている。現像ローラ４ａは感光体ドラム１と対向して配置されており、その外周面にマイナスに帯電したトナーの薄層が形成される。現像ローラ４ａには、その絶対値が感光体ドラム１の電位ＶＨよりも小さく、電位ＶＬよりも大きい現像バイアス電圧が印加されており、これにより現像ローラ４ａ上のトナーが感光体ドラム１の電位ＶＬ部分にのみ付着して反転現像が行われ、トナー像が形成される。
【００２１】
一方、不図示の給紙部から給送される転写材である記録紙Ｐはレジストローラ９を経て、感光体ドラム１の回転と同期した適切なタイミングで感光体ドラム１と帯電転写極５とで形成される転写領域へ送られる。そして、感光体ドラム１上のトナー像は転写バイアスが印加された帯電転写極５により記録紙Ｐに転写される。
【００２２】
６は定着用ガイドであって、トナー像が転写された記録紙Ｐは定着装置７へ搬送され、記録紙Ｐ上に転写されたトナー像の定着がなされる。定着装置７を通過してトナー像の定着を終えた記録紙Ｐは不図示の排紙トレイ上に排出される。
【００２３】
一方、記録紙Ｐが分離された後の感光体ドラム１は、その表面に付着した転写残トナー等の残留物がクリーニング装置８によって除去され、クリーニングされた感光体ドラム１は繰り返し次の画像形成に供される。
【００２４】
なお、上述の画像形成装置はモノクロ画像を形成する装置であるが、本発明の定着装置はカラー画像を形成する装置に対しても適用される。
【００２５】
次に、本発明に係わる定着装置の実施の形態を図２に基づいて説明する。図２は定着装置の断面図である。
【００２６】
図２において、定着装置７は、トナー像を熱定着するために加熱手段としてのハロゲンヒータＨ１を内蔵する加熱ローラ７１、加熱ローラ７１に下方より圧接する加圧ローラ７２、加熱ローラ７１の表面温度を測定する温度センサ７５、及び加圧ローラ７２の表面温度を測定する温度センサ７６等から構成されている。
【００２７】
加熱ローラ７１は、中央に設けたハロゲンヒータＨ１と、アルミニュウム、鉄若しくは銅、又はこれらの合金から円筒状に形成された芯金７１ａと、芯金７１ａの外表面に位置してシリコーンゴムやフッ素ゴム等から形成された耐熱性弾性層７１ｂと、耐熱性弾性層７１ｂを被覆してＰＦＡ（パーフルオロアルコキシ）若しくはＰＴＦＥ（ポリテトラフルオロエチレン）等のフッ素樹脂から形成された離型層７１ｃとから構成される。
【００２８】
加圧ローラ７２は、例えばステンレスからなる芯金７２ａと、芯金７２ａの外周面に位置してシリコンゴムの発泡体からなる弾性層７２ｂと、弾性層７２ｂの外周面を被覆してＰＦＡチューブから形成された離型層７２ｃとから構成されている。そして、加圧ローラ７２は不図示の付勢部材によって付勢されて、加熱ローラ７１に下方より圧接している。
【００２９】
温度センサ７５，７６はサーミスタや熱電対等からなる。
【００３０】
ここで、不図示のモータによって駆動されて加熱ローラ７１が時計方向に回転すると、加圧ローラ７２が反時計方向に回転する。従って、例えば図１に示した画像形成装置によってトナー画像が形成された記録紙Ｐは、加熱ローラ７１と加圧ローラ７２とにより構成されたニップ部Ｎで挟持され、加熱及び加圧されることにより記録紙Ｐ上のトナー像が定着される。
【００３１】
なお、場合によっては加熱ローラ７１の加熱手段を誘導加熱方式にしてもよい。
【００３２】
ここで、定着開始前に加熱ローラと共に加圧ローラを回転させる予備回転を実施することが定着ムラ等の定着不良を防止するために有効であるが、予備回転時間を簡単な構成で的確に決定する必要がある。この予備回転時間を決定する３種の形態を以下に説明する。
（１）ローラ停止時間により予備回転時間を決定
本形態は定着装置の加熱ローラと加圧ローラの停止時間に対応して予備回転時間を自動的に決定するものである。この構成を図３のブロック図を参照して説明する。
【００３３】
制御手段１１１はＣＰＵ等からなり、加熱ローラと加圧ローラの停止時間に対応した予備回転時間のテーブルを記憶していて、停止時間及び予備回転時間に応じて定着装置用モータを制御する。
【００３４】
計時手段１１２は加熱ローラと加圧ローラの停止時間や予備回転時間を計時する。
【００３５】
出口センサ１１３は定着された記録紙が排紙トレイや、綴じ処理手段や穿孔手段等を有する後処理装置へ排紙される排紙口近傍に配置され、記録紙の通過を検知するセンサである。
【００３６】
定着装置用モータ１１４は加熱ローラを回転駆動させ、加圧ローラを従動回転させるモータである。
【００３７】
画像形成装置において一連の画像形成が終了し、記録紙上のトナー像が定着装置によって定着され、記録紙が排紙されると出口センサ１１３が検知する。これにより、制御手段１１１は定着装置用モータ１１４の回転を停止させる。この停止に応じて、制御手段１１１は計時手段１１２に停止時間の計時を開始させる。
【００３８】
所定時間の経過後に、オペレータによるスタートボタンの操作やパソコン等からの入力信号によって画像形成開始信号が制御手段１１１に入力すると、制御手段１１１は定着装置用モータ１１４の回転、即ち予備回転を開始させ、同時に計時手段１１２が計時した停止時間に基づいて記憶しているテーブルに基づいて予備回転時間を決定する。そして、制御手段１１１は計時手段１１２に再び計時を開始させ、テーブルにより求めた予備回転時間に達したならば、定着装置用モータ１１４の回転、即ち予備回転を停止させる。この結果、定着ムラ等のない定着が可能になる。
【００３９】
次に、停止時間を０秒から６００秒までの８種に設定し、予備回転時間を１，３，５秒の３種に設定し、各々を全て組み合わせてベタ黒画像の画質評価の実験を行った。これを表１に示す。
【００４０】
【表１】
2007024931.tif 000003
【００４１】
なお、表１の評価は下記の通りである。
【００４２】
○：定着ムラが全くない。
【００４３】
△：一部定着ムラがあるが実用上問題ない。
【００４４】
×：定着ムラが目立って、実用にならない。
【００４５】
表１によれば、停止時間に対して予備回転時間を表２の如く設定することが望ましく、このようなテーブルを制御手段１１１は記憶している。
【００４６】
【表２】
2007024931.tif 000004
【００４７】
このように定着装置の停止時間に基づいて予備回転時間を決定するため、停止時間が短いときには予備回転時間も短くなり、定着性能に影響を与えることなくファーストコピ−タイムが短縮される。
【００４８】
なお、画像形成装置や定着装置の形態によって、停止時間に対応した予備回転時間は変化する。
（２）平滑度の異なる記録紙により予備回転時間を決定
本形態は平滑度の異なる記録紙に対応して予備回転時間を自動的に決定するものである。この構成を図４のブロック図を参照して説明する。
【００４９】
制御手段１２１はＣＰＵ等からなり、紙種に対応した予備回転時間のテーブルを記憶していて、予備回転時間に応じて定着装置用モータを制御する。
【００５０】
紙種入力手段１２２はオペレータがキイボードを操作し、塗工紙やラフ紙の如き平滑度の異なる記録紙の紙種を選択して入力する。
【００５１】
計時手段１２３は予備回転時間を計時する。
【００５２】
定着装置用モータ１２４は加熱ローラを回転駆動させ、加圧ローラを従動回転させるモータである。
【００５３】
画像形成装置において、オペレータが紙種入力手段１２２にて記録紙の紙種を選択して入力すると、制御手段１２１は紙種に基づいて記憶しているテーブルにより予備回転時間を決定する。スタートボタンの操作やパソコン等からの入力信号によって画像形成開始信号が制御手段１２１に入力すると、制御手段１２１は定着装置用モータ１２４の回転、即ち予備回転を開始させ、同時に計時手段１１２に計時させ、テーブルにより求めた予備回転時間に達したならば、定着装置用モータ１２４の回転、即ち予備回転を停止させる。この結果、定着ムラ等のない定着が可能になる。
【００５４】
次に、５種の記録紙の紙種を設定し、予備回転時間を行わない場合と、１，３，５秒で予備回転を行った場合の各々の全ての組み合わせでベタ黒画像の画質評価の実験を行った。これを表３に示す。
【００５５】
【表３】
2007024931.tif 000005
【００５６】
なお、表３において最も左に位置する塗工紙の平滑度が最も高く、順次右にゆくに従って平滑度が低くなり、最も右に位置するラフ紙の平滑度が最も低い。また、表３の評価は前述の表１と同様である。
【００５７】
表３によれば、平滑度の高い塗工紙及び上質紙においては、予備回転を行わなかったり、予備回転時間を短くしたりすると、加圧ローラの温度差が解消せず、定着ムラが発生する。一方、平滑度の低い普通紙、書籍用紙、ラフ紙においては、予備回転の有無に係わらず画質は殆ど変化しない。
【００５８】
従って、平滑度が高い記録紙が選択された場合は、本実験による画像形成装置においては予備回転を５秒間行い、平滑度が低い記録紙が選択された場合は、予備回転を行わない。これによって、予備回転を行わなければファーストコピ−タイムが短縮される。
【００５９】
なお、画像形成装置や定着装置の形態によって、紙種に対応した予備回転時間は変化し、平滑度がより高い塗工紙の方が上質紙より予備回転時間が長くなる場合もある。
（３）原稿の印字率により予備回転時間を決定
本形態は原稿の印字率に対応して予備回転時間を自動的に決定するものである。この構成を図５のブロック図を参照して説明する。
【００６０】
制御手段１３１はＣＰＵ等からなり、原稿の印字率に対応した予備回転時間のテーブルを記憶していて、予備回転時間に応じて定着装置用モータを制御する。
【００６１】
印字率測定手段１３２は原稿の所定領域における印字率を測定する。原稿の画像は数１０μｍの径のレーザードットにより画像形成されるので、画像の所定領域でこのレーザードットの割合を解析することにより印字率を測定することができる。
【００６２】
計時手段１３３は予備回転時間を計時する。
【００６３】
定着装置用モータ１３４は加熱ローラを回転駆動させ、加圧ローラを従動回転させるモータである。
【００６４】
印字率測定手段１３２が原稿の印字率を測定すると、制御手段１３１は印字率に基づいて記憶しているテーブルにより予備回転時間を決定する。スタートボタンの操作やパソコン等からの入力信号によって画像形成開始信号が制御手段１３１に入力すると、制御手段１３１は定着装置用モータ１３４の回転、即ち予備回転を開始させ、同時に計時手段１３３に計時させ、テーブルにより求めた予備回転時間に達したならば、定着装置用モータ１３４の回転、即ち予備回転を停止させる。この結果、定着ムラ等のない定着が可能になる。
【００６５】
次に、原稿の印字率が２０％未満の場合と２０％以上の２種の原稿を設定し、予備回転時間を行わない場合と、１，３，５秒で予備回転を行った場合の各々の全ての組み合わせでベタ黒画像の画質評価の実験を行った。これを表４に示す。
【００６６】
【表４】
2007024931.tif 000006
【００６７】
表４の評価は前述の表１と同様である。
【００６８】
表４によれば、印字率が２０％未満の原稿においては予備回転の有無に係わらず画質は殆ど変化しない。一方、印字率が２０％以上の原稿においては、予備回転を行わなかったり、予備回転時間を短くしたりすると、加圧ローラの温度差が解消せず、定着ムラが発生する。
【００６９】
従って、印字率が高い原稿においては、本実験による画像形成装置においては予備回転を５秒間行い、印字率が低い原稿においては、予備回転を行わない。これによって、予備回転を行わなければファーストコピ−タイムが短縮される。
【００７０】
このように印字率を測定し、その結果に応じて予備回転の有無を決定する構成を図６にフローチャートで示す。
【００７１】
なお、画像形成装置や定着装置の形態によって、予備回転を行わない限界値である印字率２０％の値は変化し、印字率に対応した予備回転時間も変化する。
【００７２】
また、以上は印字率測定手段により原稿の印字率を自動的に測定したが、キイボード等に位置する原稿モード入力手段をオペレータが選択操作して入力するようにしてもよい。
【００７３】
この場合のブロック図を図７に示す。図７は原稿モード入力手段１４２のみが図５における印字率測定手段１３２と相違するのみで、他の制御手段１４１、計時手段１４３、定着装置用モータ１４４の作動は図５に示す手段と同様であるので、説明を省略する。
【００７４】
原稿モード入力手段１４２は、キーボードに例えば文字と写真が混在する原稿であることを示す「文字／写真」、文字のみであることを示す「文字」、雑誌やカタログ等のグラビア印刷による写真原稿であることを示す「印刷写真」、細かい図形や文字がある原稿であることを示す「地図」等の原稿モードを配置したものであり、オペレータが原稿モードを選択して押下操作する。そして、「文字／写真」、「印刷写真」及び「地図」のモードが選択・操作された場合には、制御手段１４１は予備回転を例えば５秒間行い、「文字」のモードが選択・操作された場合には、制御手段１４１は予備回転を行わないように制御する。
【００７５】
なお、画像形成装置や定着装置の形態によって、原稿モードに対応した予備回転時間は変化する。
【００７６】
更に、以上の全ての形態において、記録紙の出力が長時間となるのは好ましくないので、予備回転時間は長くても３０秒以下に設定することが望ましい。
【図面の簡単な説明】
【００７７】
【図１】画像形成装置の基本構成図である。
【図２】定着装置の断面図である。
【図３】ローラ停止時間により予備回転時間を決定する形態のブロック図である。
【図４】平滑度の異なる記録紙により予備回転時間を決定する形態のブロック図である。
【図５】原稿の印字率により予備回転時間を決定する形態のブロック図である。
【図６】原稿の印字率により予備回転時間を決定する形態のフローチャートである。
【図７】原稿モードにより予備回転時間を決定する形態のブロック図である。
【符号の説明】
【００７８】
７  定着装置
７１  加熱ローラ
７２  加圧ローラ
１１１，１２１，１３１，１４１  制御手段
１１２，１２３，１３３，１４３  計時手段
１１３  出口センサ
１１４，１２４，１３４，１４４  定着装置用モータ
１２２  紙種入力手段
１３２  印字率測定手段
１４２  原稿モード入力手段
Ｈ１  ハロゲンヒータ
Ｐ  記録紙
Ｎ  ニップ部
【図１】
2007024931.tif 000007
【図２】
2007024931.tif 000008
【図３】
2007024931.tif 000009
【図４】
2007024931.tif 000010
【図５】
2007024931.tif 000011
【図６】
2007024931.tif 000012
【図７】
2007024931.tif 000013